(57)【要約】【課題】受信レベルが低下した際に、視聴していたデジタル放送局と同じ系列局の別のデジタル放送局を選局し、かつ視聴していたサービスと同一のサービスを選択する。【解決手段】デジタル放送局２００，３００，４００が、系列局識別、自局にて提供しているサービスのサービス種別及びサービス番号を番組情報の一部として送出し、デジタル放送受信機５００が、受信レベルの低下により現在視聴中のデジタル放送局２００の視聴が困難になった際に、複数のデジタル放送局２００，３００，４００から受信した系列局識別、サービス種別及びサービス番号に基づき、受信が困難になった際に視聴していたデジタル放送局２００と同じ系列に属する別のデジタル放送局３００を選局し、受信が困難になった際に視聴していたサービスと同一のサービス番号のサービスを選択する。【選択図】図１
2007325210.tif 000002
【特許請求の範囲】
【請求項１】
デジタル放送局より放送電波として送出された、上記デジタル放送局が属する系列の系列局識別、及び上記デジタル放送局にて提供しているサービスのサービス種別毎に割り振られたサービスのサービス番号を番組情報の一部として受信するデジタル放送受信機において、
複数のデジタル放送局が送出する放送電波の中から一つの放送局を選局するデジタルチューナ部と、
受信レベルの低下により現在視聴中のデジタル放送局の視聴が困難になった際に、複数のデジタル放送局から受信した上記系列局識別、上記サービス種別及び上記サービス番号に基づき、受信が困難になった際に視聴していたデジタル放送局と同じ系列に属する別のデジタル放送局を選局するよう上記デジタルチューナ部に指示すると共に、受信が困難になった際に視聴していたサービスと同一のサービス番号のサービスを選択する制御部とを備えたことを特徴とするデジタル放送受信機。
【請求項２】
デジタル放送局より放送電波として送出された、上記デジタル放送局が属する系列の系列局識別、及び上記デジタル放送局にて提供しているサービスのサービスタイプ毎に割り振られたサービスのサービス番号を番組情報の一部として受信するデジタル放送受信機において、
複数のデジタル放送局が送出する放送電波の中から一つの放送局を選局するデジタルチューナ部と、
受信レベルの低下により現在視聴中のデジタル放送局の視聴が困難になった際に、複数のデジタル放送局から受信した上記系列局識別、上記サービスタイプ及び上記サービス番号に基づき、受信が困難になった際に視聴していたデジタル放送局と同じ系列に属する別のデジタル放送局を選局するよう上記デジタルチューナ部に指示すると共に、受信が困難になった際に視聴していたサービスと同一のサービス番号のサービスを選択する制御部とを備えたことを特徴とするデジタル放送受信機。
【請求項３】
デジタル放送局より放送電波として送出された、上記デジタル放送局が属する系列の系列局識別、及び上記デジタル放送局にて提供しているサービスのメディアタイプ毎に割り振られたサービスのサービス番号を番組情報の一部として受信するデジタル放送受信機において、
複数のデジタル放送局が送出する放送電波の中から一つの放送局を選局するデジタルチューナ部と、
受信レベルの低下により現在視聴中のデジタル放送局の視聴が困難になった際に、複数のデジタル放送局から受信した上記系列局識別、上記メディアタイプ及び上記サービス番号に基づき、受信が困難になった際に視聴していたデジタル放送局と同じ系列に属する別のデジタル放送局を選局するよう上記デジタルチューナ部に指示すると共に、受信が困難になった際に視聴していたサービスと同一のサービス番号のサービスを選択する制御部とを備えたことを特徴とするデジタル放送受信機。
【請求項４】
デジタル放送局とデジタル放送受信機を備えたデジタル放送システムにおいて、
上記デジタル放送局が、自局が属する系列の系列局識別、及び自局にて提供しているサービスのサービス種別毎に割り振られたサービスのサービス番号を番組情報の一部として送出し、
上記デジタル放送受信機が、受信レベルの低下により現在視聴中のデジタル放送局の視聴が困難になった際に、複数のデジタル放送局から受信した上記系列局識別、上記サービス種別及び上記サービス番号に基づき、受信が困難になった際に視聴していたデジタル放送局と同じ系列に属する別のデジタル放送局を選局し、受信が困難になった際に視聴していたサービスと同一のサービス番号のサービスを選択することを特徴とするデジタル放送システム。
【請求項５】
デジタル放送局とデジタル放送受信機を備えたデジタル放送システムにおいて、
上記デジタル放送局が、自局が属する系列の系列局識別、及び自局にて提供しているサービスのサービスタイプ毎に割り振られたサービスのサービス番号を番組情報の一部として送出し、
上記デジタル放送受信機が、受信レベルの低下により現在視聴中のデジタル放送局の視聴が困難になった際に、複数のデジタル放送局から受信した上記系列局識別、上記サービスタイプ及び上記サービス番号に基づき、受信が困難になった際に視聴していたデジタル放送局と同じ系列に属する別のデジタル放送局を選局し、受信が困難になった際に視聴していたサービスと同一のサービス番号のサービスを選択することを特徴とするデジタル放送システム。
【請求項６】
デジタル放送局とデジタル放送受信機を備えたデジタル放送システムにおいて、
上記デジタル放送局が、自局が属する系列の系列局識別、及び自局にて提供しているサービスのメディアタイプ毎に割り振られたサービスのサービス番号を番組情報の一部として送出し、
上記デジタル放送受信機が、受信レベルの低下により現在視聴中のデジタル放送局の視聴が困難になった際に、複数のデジタル放送局から受信した上記系列局識別、上記メディアタイプ及び上記サービス番号に基づき、受信が困難になった際に視聴していたデジタル放送局と同じ系列に属する別のデジタル放送局を選局し、受信が困難になった際に視聴していたサービスと同一のサービス番号のサービスを選択することを特徴とするデジタル放送システム。
【発明の詳細な説明】
【技術分野】
【０００１】
この発明は、デジタル放送受信機、並びにデジタル放送局及びデジタル放送受信機を備えたデジタル放送システムに関するものである。
【背景技術】
【０００２】
図８は特許文献１に記載された従来のデジタル放送システムの構成を示すブロック図である。このデジタル放送システムは、系列Ａのデジタル放送親局１００、系列Ａに属するデジタル放送局２００、系列Ａに属するデジタル放送局３００、系列Ｂに属するデジタル放送局４００及びデジタル放送受信機５００を備えている。
【０００３】
図８において、系列Ａのデジタル放送親局１００は番組素材配信部１０１及び番組情報配信部１０２を備えている。また、系列Ａに属するデジタル放送局２００は、映像・音声エンコード部２０１、番組情報生成部２０２、合成部２０３及び送信処理部２０４を備え、同様に、系列Ａに属するデジタル放送局３００は、映像・音声エンコード部３０１、番組情報生成部３０２、合成部３０３及び送信処理部３０４を備え、系列Ｂに属するデジタル放送局４００は、映像・音声エンコード部４０１、番組情報生成部４０２、合成部４０３及び送信処理部４０４を備えている。
【０００４】
また、図８において、デジタル放送受信機５００は、デジタルチューナ部５０１、復調部５０２、トランスポートデコード部５０３、映像・音声デコード部５０４、画面表示部５０５、音声出力部５０６、制御部５０７及びメモリ部５０８を備えている。
【０００５】
次に動作について説明する。
系列Ａのデジタル放送親局１００において、番組素材配信部１０１は製作された番組素材を様々な媒体を使って同じ系列Ａに属するデジタル放送局２００及びデジタル放送局３００へと配信し、番組情報配信部１０２は、所属する系列局を指定するための系列局情報を番組情報の一部として、様々な媒体を使って同じ系列Ａに属するデジタル放送局２００及びデジタル放送局３００へと配信する。
【０００６】
デジタル放送局２００において、映像・音声エンコーダ２０１は配信された番組素材をデジタルデータへエンコードし、番組情報生成部２０２は、配信された系列局情報を含む番組情報と独自に作成する番組情報を生成し、合成部２０３は生成された番組情報をトランスポートストリームに合成する。送信処理部２０４はトランスポートストリームを変調し、アップリンクして放送電波として送出する。
デジタル放送局３００、デジタル放送局４００も同様に放送電波を送出する。
【０００７】
デジタル放送受信機５００において、デジタルチューナ部５０１は複数のデジタル放送局が送出する放送電波の中から一つの放送局を選局し、復調部５０２はトランスポートストリームを復調し、エラー訂正を行ってトランスポートストリームを出力する。トランスポートデコード部５０３は、トランスポートストリームを、パケットＩＤ別に映像、音声、番組情報等、各々のデータにフィルタリングする。映像・音声デコーダ部５０４は映像や音声のデータをデコードし、画面表示部５０５が映像を表示し、音声出力部５０６が音声を出力する。制御部５０７は、トランスポートデコード部５０３から番組情報等のその他のデータを読取り、必要な番組情報をメモリ部５０８に記憶する。
【０００８】
また、移動可能なデジタル放送受信機５００の場合、現在視聴中のデジタル放送局２００から遠く離れることで受信レベルが低下し、復調部５０２、トランスポートデコード部５０３、映像・音声デコード部５０４からのエラー情報により、制御部５０７が現在視聴中のデジタル放送局２００をこれ以上視聴できないと判断した際に、制御部５０７はデジタルチューナ部５０１を制御して周波数帯域をスキャンして受信可能な別のデジタル放送局を検索し、受信可能なデジタル放送局があればそのデジタル放送局が放送する番組情報の中からそのデジタル放送局が属する系列局情報を取得し、受信レベルの低下前に視聴していたデジタル放送局と同じ系列局であるデジタル放送局３００を選局する。
【０００９】
また、上記特許文献１に記載された別の実施例では、系列Ａのデジタル放送親局１００の番組情報配信部１０２は、上記系列局情報の代わりに、番組タイトルを番組情報に付加し、デジタル放送受信機５００において、受信レベルが低下し、これ以上視聴できないと判断した際に、スキャンして別の受信可能な別のデジタル放送局を検索し、受信可能なデジタル放送局があればそのデジタル放送局が放送する番組情報の中からそのデジタル放送局が現在放送中の番組タイトルを取得し、受信レベルの低下前に視聴していたデジタル放送局の番組タイトルと同じであれば、そのデジタル放送局を選局する。
【００１０】
【特許文献１】特開２００４−１４０６９０号公報（段落００１１，００１２，００１５）
【発明の開示】
【発明が解決しようとする課題】
【００１１】
従来のデジタル放送システムは以上のように構成されているので、デジタル放送受信機が、受信レベルが低下した際に、受信レベルが低下する前に視聴していたデジタル放送局と同一の系列局までは選局できるが、受信レベルが低下する前に視聴していたサービスと同一のサービスまでは選択することができないという課題があった。
ここで、サービスとは編成チャンネルのことであり、デジタル放送では１ｃｈ分の周波数帯に複数のサービス（編成チャンネル）を持つことができる。
【００１２】
また、番組情報に付加された番組タイトルを使用する場合にも、イベント共有放送に見られるような同一の番組タイトルのサービスが複数のサービスに渡って存在する場合には一意にサービスを選択することができないという課題があった。
ここで、イベント共有放送とは、複数のサービスにおいて同一の番組を視聴することができる放送のことであり、例えば、ある放送局は３つのサービスにて運用を実施しているとすると、ある時間帯は３つのサービスで異なる番組をＳＤ（Ｓｔａｎｄａｒｄ  Ｄｅｆｉｎｉｔｉｏｎ）放送にて放送し、ある時間帯からＨＤ（Ｈｉｇｈ  Ｄｅｆｉｎｉｔｉｏｎ）放送にて、３つのサービスで使用している帯域を一つに束ねて、同一番組として放送することができる。
【００１３】
この発明は上記のような課題を解決するためになされたもので、受信レベルが低下した際に、視聴していたデジタル放送局と同じ系列局の別のデジタル放送局を選局し、かつ視聴していたサービスと同一のサービスを選択することができるデジタル放送受信機及びデジタル放送システムを得ることを目的とする。
【課題を解決するための手段】
【００１４】
この発明に係るデジタル放送受信機は、デジタル放送局より放送電波として送出された、上記デジタル放送局が属する系列の系列局識別、及び上記デジタル放送局にて提供しているサービスのサービス種別毎に割り振られたサービスのサービス番号を番組情報の一部として受信するものにおいて、複数のデジタル放送局が送出する放送電波の中から一つの放送局を選局するデジタルチューナ部と、受信レベルの低下により現在視聴中のデジタル放送局の視聴が困難になった際に、複数のデジタル放送局から受信した上記系列局識別、上記サービス種別及び上記サービス番号に基づき、受信が困難になった際に視聴していたデジタル放送局と同じ系列に属する別のデジタル放送局を選局するよう上記デジタルチューナ部に指示すると共に、受信が困難になった際に視聴していたサービスと同一のサービス番号のサービスを選択する制御部とを備えたものである。
【発明の効果】
【００１５】
この発明により、デジタル放送受信機が受信レベルの低下により現在視聴中のデジタル放送局をこれ以上視聴できなくなった際に、視聴していたデジタル放送局と同じ系列局の別のデジタル放送局で、かつ視聴していたサービスと同一のサービス番号のサービスを選局することができるという効果が得られる。
【発明を実施するための最良の形態】
【００１６】
実施の形態１．
図１はこの発明の実施の形態１によるデジタル放送システムの構成を示すブロック図である。このデジタル放送システムは、系列Ａのデジタル放送親局１００、系列Ａに属するデジタル放送局２００、系列Ａに属するデジタル放送局３００、系列Ｂに属するデジタル放送局４００及びデジタル放送受信機５００を備えている。
【００１７】
図１において、系列Ａのデジタル放送親局１００は番組素材配信部１０１及び番組情報配信部１０２を備えている。また、系列Ａに属するデジタル放送局２００は、映像・音声エンコード部２０１、番組情報生成部２０２、合成部２０３、送信処理部２０４及びメモリ部２０５を備えており、メモリ部２０５には、サービス識別ｓｅｒｖｉｃｅ＿ｉｄ及びサービスタイプｓｅｒｖｉｃｅ＿ｔｙｐｅが記載されたサービスリスト２０６、及び系列局識別ａｆｆｉｌｉａｔｉｏｎ＿ｉｄ（背景技術で記載した系列局情報に相当）が記載された系列局識別リスト２０７が記憶されている。
【００１８】
同様に、系列Ａに属するデジタル放送局３００は、映像・音声エンコード部３０１、番組情報生成部３０２、合成部３０３、送信処理部３０４及びメモリ部３０５を備え、メモリ部３０５にはサービスリスト３０６及び系列局識別リスト３０７が記憶され、系列Ｂに属するデジタル放送局４００は、映像・音声エンコード部４０１、番組情報生成部４０２、合成部４０３、送信処理部４０４及びメモリ部４０５を備え、メモリ部４０５にはサービスリスト４０６及び系列局識別リスト４０７が記憶されている。
【００１９】
また、図１において、デジタル放送受信機５００は、デジタルチューナ部５０１、復調部５０２、トランスポートデコード部５０３、映像・音声デコード部５０４、画面表示部５０５、音声出力部５０６、制御部５０７及びメモリ部５０８を備えている。
【００２０】
ここで、デジタル放送について説明する。
デジタル放送では、ＴＳパケットと呼ばれる固定長パケットにより、映像・音声の信号やデータを多重して送信する。上記に述べた系列局識別（系列局情報）や番組タイトル、ジャンル情報、番組識別番号は、データの中の番組配列情報ＳＩ（Ｓｅｒｖｉｃｅ  Ｉｎｆｏｒｍａｔｉｏｎ）に記載される。番組配列情報ＳＩは番組情報や放送局名等の情報を管理している。番組配列情報ＳＩの他に、番組特定情報ＰＳＩ（Ｐｒｏｇｒａｍ  Ｓｐｅｃｉｆｉｃ  Ｉｎｆｏｒｍａｔｉｏｎ）があり、映像・音声信号の選択、及びサービス（編成チャンネル）の選択に使用される。
【００２１】
番組特定情報ＰＳＩは、ＰＡＴ（Ｐｒｏｇｒａｍ  Ａｓｓｏｃｉａｔｉｏｎ  Ｔａｂｌｅ）・ＣＡＴ（Ｃｏｎｄｉｔｉｏｎ  Ａｃｃｅｓｓ  Ｔａｂｌｅ）・ＰＭＴ（Ｐｒｏｇｒａｍ  Ｍａｐ  Ｔａｂｌｅ）・ＮＩＴ（Ｎｅｔｗｏｒｋ  Ｉｎｆｏｒｍａｔｉｏｎ  Ｔａｂｌｅ）のテーブルからなり、番組配列情報ＳＩは、主にＢＩＴ（Ｂｒｏａｄｃａｓｔｅｒ  Ｉｎｆｏｒｍａｔｉｏｎ  Ｔａｂｌｅ）・ＳＤＴ（Ｓｅｒｖｉｃｅ  Ｄｅｓｃｒｉｐｔｉｏｎ  Ｔａｂｌｅ）・ＥＩＴ（Ｅｖｅｎｔ  Ｉｎｆｏｒｍａｔｉｏｎ  Ｔａｂｌｅ）のテービルがある。番組名、番組識別、ジャンル等はＥＩＴに記述されている。
【００２２】
ここで、系列局識別ａｆｆｉｌｉａｔｉｏｎ＿ｉｄはＢＩＴに記載されている。移動可能なデジタル放送受信機５００での系列局の継続受信の判断は、系列局識別ａｆｆｉｌｉａｔｉｏｎ＿ｉｄを用いて行うように、電波産業会ＡＲＩＢ（Ａｓｓｏｃｉａｔｉｏｎ  ｏｆ  Ｒａｄｉｏ  Ｉｎｄｕｓｔｒｉｅｓ  Ｂｕｓｉｎｅｓｓｅｓ）の放送運用規定であるＡＲＩＢ  ＴＲ−Ｂ１４に上記従来技術の出願前に策定されている。
【００２３】
また、サービス識別ｓｅｒｖｉｃｅ＿ｉｄはＮＩＴに記載されている。
図２はサービス識別ｓｅｒｖｉｃｅ＿ｉｄのビット毎の意味付けを示す図である。サービス番号はサービス識別ｓｅｒｖｉｃｅ＿ｉｄのｂ０−ｂ２を用いて表され、サービス種別はサービス識別ｓｅｒｖｉｃｅ＿ｉｄのｂ７−ｂ８を用いて表される。サービス番号は、サービス種別毎に割り振られており、各放送局内でのサービスの順番付けに用いられる。
【００２４】
図３はサービス種別の内訳を示す図である。サービス種別には主にテレビサービスとデータサービスの２種類があり、デジタル放送局２００のサービス識別リスト２０６に記載されているサービス識別ｓｅｒｖｉｃｅ＿ｉｄが１６進数で示した０ｘ０４０８の場合には、２進数で示した図２のサービス種別は０のテレビ型であり、サービス番号は０番となる。
【００２５】
次に動作について説明する。
系列Ａのデジタル放送親局１００において、番組素材配信部１０１は製作された番組素材を様々な媒体を使って同じ系列Ａに属するデジタル放送局２００、デジタル放送局３００へと配信し、番組情報配信部１０２は番組情報を様々な媒体を使って同じ系列Ａに属するデジタル放送局２００、デジタル放送局３００へと配信する。
【００２６】
デジタル放送局２００において、映像・音声エンコーダ２０１は配信された番組素材をデジタルデータへエンコードし、番組情報生成部２０２は配信された番組情報と独自に作成する番組情報を生成する。その際、番組情報生成部２０２は、メモリ部２０５に予め記憶されているサービスリスト２０６をＮＩＴに記載して番組情報の一部として出力し、メモリ部２０５に予め記憶されている系列局識別リスト２０７をＢＩＴに記載して番組情報の一部として出力する。合成部２０３は生成された番組情報、ＮＩＴ及びＢＩＴをトランスポートストリームに合成する。送信処理部２０４はトランスポートストリームを変調し、アップリンクして放送電波として送出する。
デジタル放送局３００、デジタル放送局４００も同様にして放送電波を送出する。
【００２７】
デジタル放送受信機５００において、デジタルチューナ部５０１は複数のデジタル放送局の送出する放送電波の中から一つの放送局を選局し、復調部５０２はトランスポートストリームを復調し、エラー訂正を行ってトランスポートストリームを出力する。トランスポートデコード部５０３は、トランスポートストリームをパケットＩＤ別に映像、音声、番組情報等の各々のデータにフィルタリングする。映像・音声デコーダ部５０４は映像や音声のデータをデコードし、画面表示部５０５が映像を表示し、音声出力部５０６が音声を出力する。
【００２８】
制御部５０７は、デジタルチューナ部５０１、復調部５０２、トランスポートデコード部５０３、映像・音声デコーダ部５０４及びメモリ部５０８を制御するもので、デジタルチューナ部５０１への選局指示したり、番組情報等のその他のデータをトランスポートデコード部５０３から読み取り、必要な番組情報をメモリ部５０８に記憶したり、番組情報の一部として送出された系列局識別、サービス種別及びサービス番号を取得して、以下に示すような制御を行う。
【００２９】
図４は実施の形態１によるデジタル放送受信機５００の処理シーケンスを示すフローチャートであり、ここでは、デジタル放送受信機５００において、受信レベルが低下した際に系列局のスキャンを実施し、視聴が困難になった放送局と同一の系列局、同一のサービスを視聴する処理シーケンスを示している。
【００３０】
移動可能なデジタル放送受信機５００の制御部５０７は、ステップＳＴ１０１において、現在視聴中のデジタル放送局２００の受信レベルを検出し、ステップＳＴ１０２において、受信レベルが規定値より低下したかを確認し、規定値より低下していない場合には上記ステップＳＴ１０１の処理を繰り返す。
【００３１】
上記ステップＳＴ１０２で、デジタル放送受信機５００は現在視聴中のデジタル放送局２００から遠く離れることで受信レベルが規定値より低下し、デジタル放送受信機５００の復調部５０２、トランスポートデコード部５０３、映像・音声デコード部５０４からのエラー情報により、制御部５０７が現在視聴中のデジタル放送局２００をこれ以上視聴できないと判断した際には、制御部５０７は、デジタルチューナ部５０１を制御して、ステップＳＴ１０３において、ＵＨＦ帯の１３ｃｈを選局ｃｈに設定し、ステップＳＴ１０４において、設定した選局ｃｈを選局させる。
【００３２】
ここで、制御部５０７は、復調部５０２、トランスポートデコード部５０３、映像・音声デコード部５０４からのエラー情報により、制御部５０７が現在視聴中のデジタル放送局２００をこれ以上視聴できないと判断した際に、デジタルチューナ部５０１を制御して選局させているが、ユーザがこれ以上視聴できないと判断した際には、ユーザの指示に基づき制御部５０７がデジタルチューナ部５０１を制御して選局させても良い。
【００３３】
ステップＳＴ１０５において、制御部５０７は、選局した選局ｃｈで有効なトランスポートストリームが存在し、受信可能なデジタル放送局が存在するか否かを確認する。有効なトランスポートストリームが存在しない場合にはステップＳＴ１１０に移行する。
【００３４】
上記ステップＳＴ１０５で有効なトランスポートストリームが存在する場合には、ステップＳＴ１０６において、制御部５０７は、該デジタル放送局が放送する番組情報の中からＢＩＴに記載されている該デジタル放送局が属する系列局識別を取得し、受信レベルの低下前に視聴していたデジタル放送局と同一系列局であるかを確認し、同一系列局でない場合にはステップＳＴ１１０に移行する。
【００３５】
上記ステップＳＴ１０６で同一系列局である場合には、ステップＳＴ１０７において、制御部５０７は、ＮＩＴに記載されているサービス種別を取得し、視聴していたサービス種別と同一サービス種別のサービスが存在するか確認し、同一サービス種別のサービスが存在しない場合にはステップＳＴ１１０に移行する。
【００３６】
上記ステップＳＴ１０７で同一サービス種別のサービスが存在する場合には、ステップＳＴ１０８において、制御部５０７は、ＮＩＴに記載されている同一サービス種別におけるサービス番号を取得し、視聴していたサービス番号と同一サービス番号のサービスが存在するか否かを確認し、同一サービス番号のサービスが存在しない場合にはステップＳＴ１１０に移行する。
【００３７】
上記ステップＳＴ１０７で同一サービス番号のサービスが存在する場合には、ステップＳＴ１０９において、制御部５０７は該当のサービスを選択する。
【００３８】
ステップＳＴ１１０において、制御部５０７は選局ｃｈをインクリメントし、ステップＳＴ１１１において、制御部５０７は選局ｃｈがＵＨＦ帯の６３ｃｈ以上か否かを確認し、６３ｃｈ以下ならば上記ステップＳＴ１０４以降の処理を繰り返す。
【００３９】
このようにして、ＵＨＦ帯域の上限である６２ＣＨまで、上記ステップＳＴ１０４〜ＳＴ１１０の処理を繰り返すことによりスキャンを実施し、同一の系列局、同一のサービス種別、同一のサービス番号のサービスが見つからなかった場合には、ステップＳＴ１１２において、制御部５０７は系列局サーチ開始時のサービスを再選択し、スキャン開始時のサービスに戻る。
【００４０】
以上のように、この実施の形態１によれば、デジタル放送局２００，３００，４００が、自局が属する系列の系列局識別、自局にて提供しているサービスのサービス種別及び自局にて提供しているサービスのサービス番号を番組情報の一部として送出し、デジタル放送受信機５００が、受信レベルの低下により現在視聴中のデジタル放送局の視聴が困難になった際に、複数のデジタル放送局から受信した系列局識別、サービス種別及びサービス番号に基づき、受信が困難になった際に視聴していたデジタル放送局と同じ系列に属する別のデジタル放送局を選局し、受信が困難になった際に視聴していたサービスと同一のサービス番号のサービスを選択することにより、デジタル放送受信機が受信レベルの低下により現在視聴中のデジタル放送局をこれ以上視聴できなくなった際に、視聴していたデジタル放送局と同じ系列局の別のデジタル放送局を選局し、かつ視聴していたサービスと同一のサービス番号のサービスを選択することができるという効果が得られる。
【００４１】
実施の形態２．
この発明の実施の形態２によるデジタル放送システムの構成を示すブロック図は上記実施の形態１の図１と同じである。上記実施の形態１では、サービスを一意に決定する際にサービス種別を用いたが、この実施の形態２では、サービスタイプを用いてサービスを選択する場合について説明する。
【００４２】
図５は主なサービスタイプとサービスタイプを取り纏めるメディアタイプの例を示す図である。サービスタイプはＮＩＴのサービスリスト記述子に記載されている情報である。上記実施の形態１に示すサービス識別ｓｅｒｖｉｃｅ＿ｉｄでは、図２に示すように、サービス番号がサービス種別毎に割り振られているが、この実施の形態２に示すサービス識別ｓｅｒｖｉｃｅ＿ｉｄでは、サービス番号がサービスタイプ毎に割り振られているものとする。
【００４３】
次に動作について説明する。
系列Ａのデジタル放送親局１００、系列Ａに属するデジタル放送局２００、デジタル放送局３００及び系列Ｂのデジタル放送局の動作は、上記実施の形態１と同じである。
また、デジタル放送受信機５００の動作も基本的には同じであるが、制御部５０７は、番組情報の一部として送出された系列局識別、サービスタイプ及びサービス番号を取得して、以下に示すような制御を行う。
【００４４】
図６は実施の形態２によるデジタル放送受信機５００の処理シーケンスを示すフローチャートであり、ここでは、デジタル放送受信機５００において、受信レベルが低下した際に、系列局のスキャンを実施し、視聴が困難になった際の放送局と同一の系列局、同一のサービスを視聴する処理シーケンスを示している。
【００４５】
ステップＳＴ２０１〜ＳＴ２０６の処理は、上記実施の形態１の図４に示すステップＳＴ１０１〜ＳＴ１０６の処理と同じである。
【００４６】
上記ステップＳＴ２０６で同一系列局である場合には、ステップＳＴ２０７において、制御部５０７は、ＮＩＴに記載されているサービスタイプを取得し、視聴していたサービスタイプと同一サービスタイプのサービスが存在するか確認し、同一サービスタイプのサービスが存在しない場合にはステップＳＴ２１０に移行する。
【００４７】
上記ステップＳＴ２０７で同一サービスタイプのサービスが存在する場合には、ステップＳＴ２０８において、制御部５０７は、ＮＩＴに記載されている同一サービスタイプにおけるサービス番号を取得し、視聴していたサービス番号と同一サービス番号のサービスが存在するか否かを確認し、同一サービス番号のサービスが存在しない場合にはステップＳＴ２１０に移行する。ステップＳＴ２０９〜ＳＴ２１２の処理は、上記実施の形態１の図４に示すステップＳＴ１０９〜ＳＴ１１２の処理と同じである。
【００４８】
以上のように、この実施の形態２によれば、デジタル放送局２００，３００，４００が、自局が属する系列の系列局識別、自局にて提供しているサービスのサービスタイプ及び自局にて提供しているサービスのサービス番号を番組情報の一部として送出し、デジタル放送受信機５００が、受信レベルの低下により現在視聴中のデジタル放送局の視聴が困難になった際に、複数のデジタル放送局から受信した系列局識別、サービスタイプ及びサービス番号に基づき、受信が困難になった際に視聴していたデジタル放送局と同じ系列に属する別のデジタル放送局を選局し、受信が困難になった際に視聴していたサービスと同一のサービス番号のサービスを選択することにより、デジタル放送受信機５００が受信レベルの低下により現在視聴中のデジタル放送局をこれ以上視聴できなくなった際に、視聴していたデジタル放送局と同じ系列局の別のデジタル放送局を選局し、かつ視聴していたサービスと同一のサービス番号のサービスを選択することができるという効果が得られる。
【００４９】
実施の形態３．
この発明の実施の形態３によるデジタル放送システムの構成を示すブロック図は上記実施の形態１の図１と同じである。上記実施の形態１では、サービスを一意に決定する際にサービス種別を用いたが、この実施の形態３では、図５に示すメディアタイプを用いてサービスを選択する場合について説明する。
【００５０】
上記実施の形態１に示すサービス識別ｓｅｒｖｉｃｅ＿ｉｄでは、図２に示すように、サービス番号がサービス種別毎に割り振られているが、この実施の形態３に示すサービス識別ｓｅｒｖｉｃｅ＿ｉｄでは、サービス番号が図５に示すメディアタイプ毎に割り振られているものとする。
【００５１】
次に動作について説明する。
系列Ａのデジタル放送親局１００、系列Ａに属するデジタル放送局２００、デジタル放送局３００及び系列Ｂに属するデジタル放送局４００の動作は、基本的に上記実施の形態１と同じであるが、例えばデジタル放送局２００において、番組情報生成部２０２は配信された番組情報と独自に作成する番組情報を生成し、その際、番組情報生成部２０２は、メモリ部２０５に予め記憶されているサービスリスト２０６をＮＩＴと同等のテーブルに記載して番組情報の一部として出力し、メモリ部２０５に予め記憶されている系列局識別リスト２０７をＢＩＴに記載して番組情報の一部として出力する。合成部２０３は生成された番組情報、ＮＩＴと同等のテーブル及びＢＩＴをトランスポートストリームに合成する。
デジタル放送局３００及びデジタル放送局４００の動作も同様である。
【００５２】
また、デジタル放送受信機５００の動作も基本的には同じであるが、制御部５０７は、番組情報の一部として送出された系列局識別、メディアタイプ及びサービス番号を取得して、以下に示すような制御を行う。
【００５３】
図７は実施の形態３によるデジタル放送受信機５００の処理シーケンスを示すフローチャートであり、ここでは、デジタル放送受信機５００において、受信レベルが低下した際に、系列局のスキャンを実施し、視聴が困難になった際の放送局と同一の系列局、同一のサービスを視聴する処理シーケンスを示している。
【００５４】
ステップＳＴ３０１〜ＳＴ３０６の処理は、上記実施の形態１の図４に示すステップＳＴ１０１〜ＳＴ１０６の処理と同じである。
【００５５】
上記ステップＳＴ３０６で同一系列局である場合には、ステップＳＴ３０７において、制御部５０７は、ＮＩＴと同等のテーブルに記載されているメディアタイプを取得し、視聴していたメディアタイプと同一メディアタイプのサービスが存在するか確認し、同一メディアタイプのサービスが存在しない場合にはステップＳＴ３１０に移行する。
【００５６】
上記ステップＳＴ３０７で同一メディアタイプのサービスが存在する場合には、ステップＳＴ３０８において、制御部５０７は、ＮＩＴと同等のテーブルに記載されている同一メディアタイプにおけるサービス番号を取得し、視聴していたサービス番号と同一サービス番号のサービスが存在するか否かを確認し、同一サービス番号のサービスが存在しない場合にはステップＳＴ３１０に移行する。ステップＳＴ３０９〜ＳＴ３１２の処理は、上記実施の形態１の図４に示すステップＳＴ１０９〜ＳＴ１１２の処理と同じである。
【００５７】
以上のように、この実施の形態３によれば、デジタル放送局２００，３００，４００が、自局が属する系列の系列局識別、自局にて提供しているサービスのメディアタイプ、及び自局にて提供しているサービスのサービス番号を番組情報の一部として送出し、デジタル放送受信機５００が、受信レベルの低下により現在視聴中のデジタル放送局の視聴が困難になった際に、複数のデジタル放送局から受信した上記系列局識別、上記メディアタイプ及び上記サービス番号に基づき、受信が困難になった際に視聴していたデジタル放送局と同じ系列に属する別のデジタル放送局を選局し、受信が困難になった際に視聴していたサービスと同一のサービス番号のサービスを選択することにより、デジタル放送受信機５００が受信レベルの低下により現在視聴中のデジタル放送局をこれ以上視聴できなくなった際に、視聴していたデジタル放送局と同じ系列局の別のデジタル放送局を選局し、かつ視聴していたサービスと同一のサービス番号のサービスを選択することができるという効果が得られる。
【図面の簡単な説明】
【００５８】
【図１】この発明の実施の形態１によるデジタル放送システムの構成を示すブロック図である。
【図２】この発明の実施の形態１によるデジタル放送システムにおけるサービス識別のビット毎の意味付けを示す図である。
【図３】この発明の実施の形態１によるデジタル放送システムにおけるサービス種別の内訳を示す図である。
【図４】この発明の実施の形態１によるデジタル放送受信機の処理シーケンスを示すフローチャートである。
【図５】この発明の実施の形態２，３によるデジタル放送システムにおける主なサービスタイプとサービスタイプを取り纏めるメディアタイプの例を示す図である。
【図６】この発明の実施の形態２によるデジタル放送受信機の処理シーケンスを示すフローチャートである。
【図７】この発明の実施の形態３によるデジタル放送受信機の処理シーケンスを示すフローチャートである。
【図８】従来のデジタル放送システムの構成を示すブロック図である。
【符号の説明】
【００５９】
１００  デジタル放送親局、１０１  番組素材配信部、１０２  番組情報配信部、２００  デジタル放送局、２０１  映像・音声エンコード部、２０２  番組情報生成部、２０３  合成部、２０４  送信処理部、２０５  メモリ部、２０６  サービスリスト、２０７  系列局識別リスト、３００  デジタル放送局、３０１  映像・音声エンコード部、３０２  番組情報生成部、３０３  合成部、３０４  送信処理部、３０５  メモリ部、３０６  サービスリスト、３０７  系列局識別リスト、４００  デジタル放送局、４０１  映像・音声エンコード部、４０２  番組情報生成部、４０３  合成部、４０４  送信処理部、４０５  メモリ部、４０６  サービスリスト、４０７  系列局識別リスト、５００  デジタル放送受信機、５０１  デジタルチューナ部、５０２  復調部、５０３  トランスポートデコード部、５０４  映像・音声デコード部、５０５  画面表示部、５０６  音声出力部、５０７  制御部、５０８  メモリ部。
【図１】
2007325210.tif 000003
【図２】
2007325210.tif 000004
【図３】
2007325210.tif 000005
【図４】
2007325210.tif 000006
【図５】
2007325210.tif 000007
【図６】
2007325210.tif 000008
【図７】
2007325210.tif 000009
【図８】
2007325210.tif 000010